(57)【特許請求の範囲】
【請求項１】
弁を開閉させる回転作動軸のハンドルに回転作動軸とほぼ平行な位置関係で固定され、弁の開閉時ハンドルと一体に回転作動軸の回りを回動するように配設されると共に、一端に異形の係止孔及びその開口端縁の一部に係止縁を形成した案内筒と、この案内筒の内筒に摺動可能に嵌装され、一端にフランジを形成し、他端部を案内筒の他端開口から延伸させると共に、フランジが案内筒の係止縁に近接してこれに係止される方向に付勢されたロッキングバーと、使用時案内筒の一端の開口を覆う蓋部材、これを貫通するように蓋部材に装着されたシリンダー錠及びシリンダー錠の内筒に装着され、案内筒の一端の係止孔を挿通できる異形の係止爪を備えたロックピースと、輸送される液体の供給側の液槽、及び受入れ側の液槽に夫々割り当てられた上記シリンダー錠施解錠用の一対の合鍵と、施錠時案内筒の他端から延伸するロッキングバーの他端部の移動軌跡内に突在するストライクとを有することを特徴とする弁の錠装置。
【発明の詳細な説明】
【０００１】
【発明の属する技術分野】
この発明は弁の錠装置に係り、特に、複数の液槽に対しそれぞれ異なる種類の液体が入れられているタンクローリー等において、液槽毎に設けられた弁の誤操による異種液体の混入事故を防止し得るようにした弁の錠装置に関する。
【０００２】
【従来の技術】
従来のこの種の弁の錠装置としては、例えば実公平５―１６１４４号公報に示されたものを挙げることができる。その錠装置、すなわちバルブ誤操作防止装置は、弁開閉用のハンドル部分に対し、櫓状のカバー部材をそれに設けたシリンダ錠をもって係脱し、合鍵がなければ弁を開放できないようにしたものである。
【０００３】
しかしながら、同装置によれば、全体の構造が複雑であること、また、弁開閉時における櫓状のカバー部材の着脱操作、すなわち施解錠操作が極めて面倒であることなどの問題点がある。
【０００４】
【発明が解決しようとする課題】
この発明の弁の錠装置は、上述の問題点を解消することを目的として提案されたもので、装置全体としての構造を簡単で、施解錠操作を極めて楽に行えるようにすることを目的として提案されたものである。
【０００５】
【課題を解決するための手段】
上記の目的を達成するため、この発明による弁の錠装置は、弁を開閉させる回転作動軸のハンドルに回転作動軸とほぼ平行な位置関係で固定され、弁の開閉時ハンドルと一体に回転作動軸の回りを回動するように配設されると共に、一端に異形の係止孔及びその開口端縁の一部に係止縁を形成した案内筒と、この案内筒の内筒に摺動可能に嵌装され、一端にフランジを形成し、他端部を案内筒の他端開口から延伸させると共に、フランジが案内筒の係止孔に近接しその係止縁に係止される方向に付勢されたロッキングバーと、使用時案内筒の一端の開口を覆う蓋部材、これを貫通するように蓋部材に装着されたシリンダー錠及びシリンダー錠の内筒に装着され、案内筒の一端の係止孔を挿通できる異形の係止爪を備えたロックピースと、輸送される液体の供給側の液槽、及び受入れ側の液槽に夫々割り当てられた上記シリンダー錠施解錠用の一対の合鍵と、施錠時案内筒の他端から延伸するロッキングバーの他端部の移動軌跡内に突在するストライクとを有することを特徴とする。
【０００６】
【発明の実施の形態】
以下、図面に示す実施例に基いて、この発明について説明する。
図１及び図２において、符号１はタンクローリーの１つの液槽、２はその液槽１における円筒状をなす弁の取付部分、３は弁の全体、４は図示しない弁体を開閉させる回転作動軸、５は回転作動軸４に固定されたハンドルである。
【０００７】
ちなみに、この発明による弁の錠装置は、タンクローリー等の液体輸送車の相異なる液体、例えばガソリンや灯油、槽毎に設けられるものである。
【０００８】
上記ハンドル５には、全体を符号６で示す案内筒が、弁３の回転作動軸４とほぼ平行な位置関係を保って固定されている。
【０００９】
図示の実施例における案内筒６は、図３乃至図５に示すように、例えば合成樹脂製のキャップブロック７、金属製の本体部８及び取付板９を図示しないねじで一体的に結合したものである。
【００１０】
上記のように構成された案内筒６は、外周面にその母線に沿ってリブ１１、１を形成した本体部８を、ハンドル３の外輪と放射状の輻（スポーク）との間に形成された略三角形の隙間１２（図１参照）に、キャップブロック７を上にして上方から挿入する。
【００１１】
同時に取付板９の先端部に開口したボルト孔１３に回転操作軸４の上端のボルトを下方から挿通させ、ナット止めして固定する。
【００１２】
このとき、本体部８の外周面に突条として形成された上記リブ１１、１１が上記隙間１２の隅部に内側から当接し、このようにして案内筒６はハンドル５に確りと固定される。
【００１３】
上記キャップブロック７には、図３及び図４に示すように、上方から順に大径の外側凹陥部１４、異形（図示の実施例では小判形）の係止孔１５及び断面円形のフランジ収納孔１６が連設されている。
【００１４】
上記フランジ収納孔１６の内径と係止孔１５の円弧部分のそれとはほぼ同じに設定されており、係止孔１５の直線部分の開口端縁は係止縁１７を形成している。
【００１５】
そして、この案内筒６の内筒部には、上端にフランジ１８を形成した段付のロッキングバー１９が上下方向に摺動可能に嵌装され、その下端部は案内筒６の下端開口から下方に延伸している。
【００１６】
このロッキングバー１９は、図４に示すように、本体部８の下端の小径段部とロッキングバー１９の上端部の大径段部との間に巻装された圧縮コイルばねとしての戻しばね２１の弾力により、上方に、すなわちフランジ１８が係止縁１７に近接する方向に付勢されているが、ロッキングバー１９に外力が作用しない常態においては、図４に実線で示すように、フランジ１８が下方から係止縁１７に衝接して係止され、後述する解錠位置を保つ。
【００１７】
一方、上記した案内筒６とこれに保持されたロッキングバー１９と共にこの発明の弁装置の重要な構成要素であるロックピース２２は、図６乃至図９に示すように構成れており、弁装置の施解錠制御を行う。
【００１８】
すなわち、これらの図に示すように、このロックピース２２は、全体の形状が小判形の蓋部材２３と、この蓋部材２３の中央部を厚さ方向に貫通するように装着されたシリンダー錠２４と、このシリンダー錠の内筒に装着された係止爪２５とを有してなる。
【００１９】
上記蓋部材２３の裏面側には、図８及び図９に示すように、中央部に前記キャップブロック７（図３乃至図５参照）と嵌合し得る断面形状の内側凹陥部２６が形成され、図示の実施例では、軽量化のためその周囲も肉を盗まれて周辺凹陥部２７、２７が形成されている。
【００２０】
また、シリンダー錠２４の内筒に装着された係止爪２５は、前記案内筒の係止孔１５（図３参照）を挿通できる外形形状を有している。
【００２１】
また、ロックピース２５のシリンダー錠軸線方向における装着位置は、図７及び図１０に示すように案内筒６にロックピース２２を被せ、案内筒のキャップブロック７の外端面とロックピースの内側凹陥部２６の底面とが接合したとき、係止爪２５が係止孔１５を通り抜けることができるように設定する。
【００２２】
また、図８はシリンダー錠２４の解錠状態を示し、このときには係止爪２５の長さ方向が蓋部材２３のそれと揃っており、シリンダー錠の鍵孔に合鍵（図示せず）を差し入れ、これを施錠方向、例えば図８で反時計方向に９０度回して施錠するものとする。
【００２３】
つまり、この発明による弁の錠装置を施錠する場合は、図１０に示すように案内筒６の一端にシリンダー錠が解錠した状態でロックピース２２を被せる。
【００２４】
すると、係止爪２５に押下されてロッキングバー１９が図示の位置にまで下降し、このとき係止爪２５は係止孔１５を潜り抜ける。
【００２５】
この状態で合鍵をシリンダー錠の鍵孔に差し入れ、施錠方向に９０度回すと、図１０で係止爪２５の長さ方向の側面が表れ、係止爪２５の両端は案内筒の係止縁１７（図３及び図４参照）の下側に潜る。
【００２６】
そして合鍵を抜くと、係止爪２５はシリンダー錠本来の機能により上記係止縁１７と係合する錠止角度位置を保ち、図７に示すように、ロックピース２２を案内筒６に結合し、ロッキングバー１９を下降した状態に固定される。
【００２７】
ちなみに、図示の実施例におけるシリンダー錠は所謂ピンシリンダー錠であるが、この発明はピンシリンダー錠に限らず、ディスクタンブラーシリンダー錠、レバータンブラーシリンダー錠或いは磁石タンブラーシリンダー錠を採用することができる。
他方、図２及び図７に示すように、前記弁の取付部分２には、例えば金属テープ２８により、ストライク２９が縛り付けられるようにして固定されている。
【００２８】
このストライク２９は、図１１に示すように、円筒の一部をなす湾曲板部分２９ａと、この湾曲板部分２９ａの上端縁から水平に張り出す水平板部分２９ｂとを有し、図１０における水平板部分２９ｂの手前側の端縁には半円形の切り欠き２９ｃが形成されている。
【００２９】
この切り欠き２９ｃの寸法及び形成位置は、その端縁が前記ロッキングバー１９と接合し得るように設定されているが、この切り欠き２９ｃの存在はこの発明の必須の構成要件ではない。
【００３０】
また、ストライクの水平板部分２９ｂの上下方向における形成位置は、図２及び図７に示すように、ロックピース２２が案内筒６に被せられていないときにはロッキングバー１９の下端より下方にあり、この錠装置が施錠されてロッキングバー１９が下降しているときには、ロッキングバー１９の下端より上方にあるように設定されている。
【００３１】
上記のように構成されたこの発明の一実施例による弁装置は、この発明をタンクローリー車に適用した場合、通常複数のロックピースを運転手が扱う。
【００３２】
例えばタンクローリー車でガソリンと灯油とを運送する場合、ガソリン槽に設けられた案内筒には一のロックピース２２−１が装着され、灯油槽には他のロックピース２２−２が装着される。
【００３３】
そして、これはこの発明の必須の構成要件ではないが、一のロックピース２２−１の表面には「ガソリン」と表示され、他のロックピース２２−２の表面には「灯油」と表示されているものとする。
【００３４】
当然のことながら、ガソリンのロックピースのシリンダー錠２４−１と、灯油のそれ２４−２とは相互に異なるものである。
【００３５】
一方、タンクローリー車によって輸送されるガソリンや灯油の供給元、例えば製油所のガソリンタンクのホースには、例えば紐により、上記ガソリン用のシリンダー錠２４−１の合鍵が結び付けられている。
【００３６】
また、当該ガソリンの受入れ側、例えばガソリンスタンドのガソリンタンクの吸上げポンプのホースには、例えばこれも紐により、供給元と同じガソリン用のシリンダー錠２４−１の合鍵が結び付けられている。
【００３７】
同様にして、製油所の灯油タンクのホースには灯油用のロックピースのシリンダー錠２４−２の合鍵が結び付けられており、同じ合鍵がガソリンスタンドの灯油タンクのホースに結び付けられている。
【００３８】
タンクローリー車の運転手は、製油所に行って合鍵によってガソリン用のシリンダー錠２４−１を解錠し、ロックピース２２を案内筒６から取り外す。
【００３９】
すると、図２にしめすように、ロッキングバー１９の下端がストライク２９より上方に移動するから、ハンドル５を例えば上から見て反時計方向に回動して弁３を開けることが可能になる。
【００４０】
この弁がガソリン槽に付設されたポンプに連動しているときにはそのホースを製油所のガソリンタンクに差し入れることによりタンクローリー車のガソリン槽にガソリンを積載することができる。
【００４１】
或いは、製油所のガソリンタンクのポンプを利用するときには、この弁を開くことによりタンクローリー車のガソリン槽の注入口を開く。
【００４２】
製油所のガソリンをタンクローリー車のガソリン槽に所定量注入したら、図１０に示すようにロックピース２２を案内筒６の一端の開口に被せ、次いで製油所側に割り当てられた合鍵によりシリンダ錠を施錠する。
【００４３】
すると、前記したように、また、図７に示すように、ロッキングバー１９が下降した状態で固定されるので、この状態でハンドル５を回そうとしても、ロッキングバー１９の下端部がストライク２９に干渉するのでそれ以上回動させることができない。つまり、弁装置は施錠される。
【００４４】
同様に、灯油をタンクローリー車の灯油槽に積載し、灯油用の合鍵により灯油用のロックピース２２を施錠する。
【００４５】
製油所側の合鍵を製油所に残してタンクローリー車は受入れ側のガソリンスタンドに行き、先ずガソリンをガソリン槽に注入するに際し、ガソリンスタンドに割り当てられたガソリン用の合鍵によりタンクローリー車のガソリン槽のロックピース２２を解錠する。
【００４６】
すると、前記したようにロックピース２２が案内筒から取り外され、図２に示すようにロッキングバー１９が戻しばね２１（図４参照）の弾力により上昇し、このときには前記したようにハンドル５の回動に伴って案内筒及びこれに保持されたロッキングバー１９が回転作動軸４の回りを回ってもロッキングバー１９とストライク２９とが干渉することがなく、換言すれば弁を開けることが可能である。
【００４７】
この用にしてガソリンの積み下ろしを完了し、要すればロックピースを案内筒に被せて施錠する。灯油についても同様である。
【００４８】
【発明の効果】
以上の説明から明らかなように、この発明の弁の錠装置は、輸送液体の積み下ろしの際、タンクローリー車における当該液体の槽と供給側或いは受入れ側の槽とが、シリンダ錠及び合鍵によって相互に関連付けられた状態で液体の積み下ろしをするので、異種液体の混入事故が皆無となる。
【００４９】
また、常態において弁を開閉させる回転作動軸が施錠されて不動にされているに関わらず、装置全体としての構造が極めて簡単である上、施解錠操作が極めて楽に行えるなどの効果を奏する。
【図面の簡単な説明】
【図１】この発明の弁の錠装置の実施例を示す平面図で、解錠状態を示す。
【図２】その側面図。
【図３】案内筒の平面図。
【図４】その縦断面図。
【図５】その正面図。
【図６】図１と同様の、この発明の弁の錠装置の実施例を示す平面図で、施錠状態を示す。
【図７】その側面図。
【図８】ロックピースの裏面図。
【図９】その横断正面図。
【図１０】ロックピースを案内筒に被せた状態を示す断面図。
【図１１】ストライクの平面図。
【符号の説明】
１  液槽。
３  弁
４  回転作動軸
５  ハンドル
６  案内筒
７  キャップブロック
８  本体部
９  取付板
１５  係止孔
１６  フランジ収納孔
１７  係止縁
１８  フランジ
１９  ロッキングバー
２１  戻しばね
２２  ロックピース
２３  蓋部材
２４  シリンダー錠
２５  係止爪
２９  ストライク
【図１】
0004266424.tif 000002
【図２】
0004266424.tif 000003
【図３】
0004266424.tif 000004
【図４】
0004266424.tif 000005
【図５】
0004266424.tif 000006
【図６】
0004266424.tif 000007
【図７】
0004266424.tif 000008
【図８】
0004266424.tif 000009
【図９】
0004266424.tif 000010
【図１０】
0004266424.tif 000011
【図１１】
0004266424.tif 000012